【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
第１のトランジスタと、
第２のトランジスタと、
画素電極と、
前記画素電極と走査線のそれぞれの電位により、前記第２のトランジスタのゲートと電源線の導通と非導通を制御する回路と、を含む画素を有し、
前記第１のトランジスタは、ゲートが前記走査線に、ソース又はドレインの一方が信号線に、ソース又はドレインの他方が前記第２のトランジスタのゲートに電気的に接続され、
前記第２のトランジスタは、ソース又はドレインの一方が前記電源線に、ソース又はドレインの他方が前記画素電極に電気的に接続されていることを特徴とする表示装置。
【請求項２】
第１のトランジスタと、
第２のトランジスタと、
画素電極と、
前記画素電極と第１の走査線のそれぞれの電位により、前記第２のトランジスタのゲートと電源線の導通と非導通を制御する回路と、
第２の走査線の電位により、前記第２のトランジスタのゲートと前記第２の走査線の導通と非導通を制御する制御素子と、を含む画素を有し、
前記第１のトランジスタは、ゲートが前記第１の走査線に、ソース又はドレインの一方が信号線に、ソース又はドレインの他方が前記第２のトランジスタのゲートに電気的に接続され、
前記第２のトランジスタは、ソース又はドレインの一方が前記電源線に、ソース又はドレインの他方が前記画素電極に電気的に接続されていることを特徴とする表示装置。
【請求項３】
第１のトランジスタと、
第２のトランジスタと、
画素電極と、
前記画素電極、第１の走査線及び第２の走査線のそれぞれの電位により、前記第２のトランジスタのゲートと電源線の導通と非導通を制御する回路と、
前記第２の走査線の電位により、前記第２のトランジスタのゲートと前記第２の走査線の導通と非導通を制御する制御素子と、を含む画素を有し、
前記第１のトランジスタは、ゲートが前記第１の走査線に、ソース又はドレインの一方が信号線に、ソース又はドレインの他方が前記第２のトランジスタのゲートに電気的に接続され、
前記第２のトランジスタは、ソース又はドレインの一方が前記電源線に、ソース又はドレインの他方が前記画素電極に電気的に接続されていることを特徴とする表示装置。
【請求項４】
第１のトランジスタと、
第２のトランジスタと、
画素電極と、
前記画素電極と第１の走査線のそれぞれの電位により、前記第２のトランジスタのゲートと電源線の導通と非導通を制御する回路と、
第２の走査線の電位により、前記第２のトランジスタのソース又はドレインの一方と前記電源線の導通と非導通を制御する制御素子と、を含む画素を有し、
前記第１のトランジスタは、ゲートが前記第１の走査線に、ソース又はドレインの一方が信号線に、ソース又はドレインの他方が前記第２のトランジスタのゲートに電気的に接続され、
前記第２のトランジスタは、ソース又はドレインの一方が前記制御素子を介して前記電源線に、ソース又はドレインの他方が前記画素電極に電気的に接続されていることを特徴とする表示装置。
【請求項５】
第１のトランジスタと、
第２のトランジスタと、
画素電極と、
第３のトランジスタと、
第４のトランジスタと、を含む画素を有し、
前記第１のトランジスタは、ゲートが走査線に、ソース又はドレインの一方が信号線に、ソース又はドレインの他方が前記第２のトランジスタのゲートと前記第３のトランジスタのソース又はドレインの一方に電気的に接続され、
前記第２のトランジスタは、ソース又はドレインの一方が電源線に、ソース又はドレインの他方が前記画素電極と前記第３のトランジスタのゲートに電気的に接続され、
前記第３のトランジスタは、ソース又はドレインの他方が前記第４のトランジスタのソース又はドレインの一方に電気的に接続され、
前記第４のトランジスタは、ゲートが前記走査線に、ソース又はドレインの他方が前記電源線に電気的に接続されることを特徴とする表示装置。
【請求項６】
第１のトランジスタと、
第２のトランジスタと、
画素電極と、
第３のトランジスタと、
第４のトランジスタと、
制御素子と、を含む画素を有し、
前記第１のトランジスタは、ゲートが第１の走査線に、ソース又はドレインの一方が信号線に、ソース又はドレインの他方が前記第２のトランジスタのゲート、前記第３のトランジスタのソース又はドレインの一方及び前記制御素子の一方の端子に電気的に接続され、
前記第２のトランジスタは、ソース又はドレインの一方が電源線に、ソース又はドレインの他方が前記画素電極と前記第３のトランジスタのゲートに電気的に接続され、
前記第３のトランジスタは、ソース又はドレインの他方が前記第４のトランジスタのソース又はドレインの一方に電気的に接続され、
前記第４のトランジスタは、ゲートが前記第１の走査線に、ソース又はドレインの他方が前記電源線に電気的に接続され、
前記制御素子は、他方の端子が第２の走査線に電気的に接続されていることを特徴とする表示装置。
【請求項７】
第１のトランジスタと、
第２のトランジスタと、
画素電極と、
第３のトランジスタと、
第４のトランジスタと、
第５のトランジスタと、
制御素子と、を含む画素を有し、
前記第１のトランジスタは、ゲートが第１の走査線に、ソース又はドレインの一方が信号線に、ソース又はドレインの他方が前記第２のトランジスタのゲート、前記第３のトランジスタのソース又はドレインの一方及び前記制御素子の一方の端子に電気的に接続され、
前記第２のトランジスタは、ソース又はドレインの一方が電源線に、ソース又はドレインの他方が前記画素電極と前記第３のトランジスタのゲートに電気的に接続され、
前記第３のトランジスタは、ソース又はドレインの他方が前記第４のトランジスタのソース又はドレインの一方に電気的に接続され、
前記第４のトランジスタは、ゲートが前記第１の走査線に、ソース又はドレインの他方が前記第５のトランジスタのソース又はドレインの一方に電気的に接続され、
前記第５のトランジスタは、ゲートが第２の走査線に、ソース又はドレインの他方が前記電源線に電気的に接続され、
前記制御素子は、他方の端子が前記第２の走査線に電気的に接続されていることを特徴とする表示装置。
【請求項８】
第１のトランジスタと、
第２のトランジスタと、
画素電極と、
第３のトランジスタと、
第４のトランジスタと、
第５のトランジスタと、を含む画素を有し、
前記第１のトランジスタは、ゲートが第１の走査線に、ソース又はドレインの一方が信号線に、ソース又はドレインの他方が前記第２のトランジスタのゲートと前記第３のトランジスタのソース又はドレインの一方に電気的に接続され、
前記第２のトランジスタは、ソース又はドレインの一方が前記第５のトランジスタのソース又はドレインの一方に、ソース又はドレインの他方が前記画素電極と前記第３のトランジスタのゲートに電気的に接続され、
前記第３のトランジスタは、ソース又はドレインの他方が前記第４のトランジスタのソース又はドレインの一方に電気的に接続され、
前記第４のトランジスタは、ゲートが前記第１の走査線に、ソース又はドレインの他方が電源線に電気的に接続され、
前記第５のトランジスタは、ゲートが第２の走査線に、ソース又はドレインの他方が前記電源線に電気的に接続されていることを特徴とする表示装置。
【請求項９】
請求項２、請求項３、請求項６又は請求項７のいずれか一項において、
前記制御素子はダイオードであることを特徴とする表示装置。
【請求項１０】
請求項２、請求項３、請求項６又は請求項７のいずれか一項において、
前記電源線と前記第２の走査線の電位は、前記第２のトランジスタをオフにする電位に保たれていることを特徴とする表示装置。
【請求項１１】
請求項６又は請求項７において、
前記制御素子は第６のトランジスタであり、
前記制御素子の一方の端子は、前記第６のトランジスタのゲートとドレインであり、
前記制御素子の他方の端子は、前記第６のトランジスタのソースであることを特徴とする表示装置。
【請求項１２】
請求項５乃至請求項８のいずれか一項において、
前記第３のトランジスタは、互いに電気的に接続された複数のゲートを有するトランジスタであることを特徴とする表示装置。
【請求項１３】
請求項５乃至請求項８のいずれか一項において、
前記第１のトランジスタと前記第４のトランジスタの極性は互いに異なることを特徴とする表示装置。
【請求項１４】
請求項１乃至請求項１３のいずれか一項において、
対向電極と、前記画素電極と前記対向電極の間に設けられた発光層を有することを特徴とする表示装置。
【請求項１５】
請求項１乃至請求項１４のいずれか一項に記載の表示装置を用いた電子機器。